(57)【要約】【課題】キーボックス内から借用したカードの戻し忘れを防止できる鍵の管理装置を提供する。【解決手段】建物の所定位置に設けられ，予め定めた居室の扉１０の施錠装置１０Ａを解錠するカード８ａ，８ｂを配列させたキーボックス８と，カード８ａ，８ｂに記憶される識別コードを読取るカードリーダ１１ａ，１１ｂと，前記扉の施錠装置１０Ａに解錠指令信号及び施錠指令信号を出力するようにした錠の管理装置において，キーボックス８の扉８Ａが解錠すると解錠信号を出力するキーボックス解錠検出手段４,３，２と，解錠信号の出力で，キーボックス８内のカード８ａ，８ｂが使われることを登録するカード選出手段６，５，３，２と，カードリーダ１１ａ，１１ｂが退出時のカード８ａ，８ｂの使用を検出すると，所定の報知を行う報知部１１ａ１，１１ｂ１，１２とを備えたものである。【選択図】図1
2013100639.tif 000002
【特許請求の範囲】
【請求項１】
建物の所定位置に設けられ、予め定めた居室の扉の施錠装置を解錠するカードを配列させたキーボックスと、前記カードに記憶される識別コードを読取るカードリーダと、前記扉の施錠装置に解錠指令信号及び施錠指令信号を出力するようにした鍵の管理装置において、
前記キーボックスの扉が解錠すると解錠信号を出力するキーボックス解錠検出手段と、
前記解錠信号の出力で、前記キーボックス内の前記カードが使われることを登録するカード選出手段と、
前記カードリーダが退出時の前記カードの使用を検出すると、所定の報知を行う報知部と
を備えたことを特徴とする鍵の管理装置。
【請求項２】
請求項１記載の鍵の管理装置において、
前記報知部は少なくとも退室用カードリーダに設けられ、前記報知部が報知する内容を記憶する報知内容記憶部を備えたことを特徴とする鍵の管理装置。
【発明の詳細な説明】
【技術分野】
【０００１】
本発明は鍵の管理装置に関する
【背景技術】
【０００２】
従来、建物の設備機器が設置される居室の扉を解錠するカードは、建物の所定の位置に設置される施錠されたキーボックスの中に配置されている。
【０００３】
このような、キーボックス内のカードを第三者へ使用させないため、所定の操作でキーボックスの扉の施錠を解錠させ、キーボックス内めカードで該当扉を開放し、その解放時間が所定時間を越えると、警報を鳴動させることで、建物のセキュリティを図るものである(特許文献１)。
【先行技術文献】
【特許文献】
【０００４】
【特許文献１】特開平９−１５１６３４号公報
【発明の概要】
【発明が解決しようとする課題】
【０００５】
上記特許文献１の発明は、キーボックスの扉の解放を報知することで、キーボックス内のカードの盗難を防止するごとができるが、キーボックス内から持ち出したカードを、キーボックスへ戻し忘れてしまうことがあり、セキュリティ上問題となることがあった。
【０００６】
本発明の目的は、キーボックス内から借用しだカードの戻し忘れを防止できる鍵の管理装置を提供することにある。
【課題を解決するための手段】
【０００７】
上記目的を達成するために、本発明は、建物の所定位置に設けられ、予め定めた居室の扉の施錠装置を解錠するカードを配列させたキーボックスと、前記カードに記憶される識別コードを読取るカードリーダと、前記扉の施錠装置に解錠指令信号及び施錠指令信号を出力するようにした鍵の管理装置において、前記キーボックスの扉が解錠すると解錠信号を出力するキーボックス解錠検出手段と、前記解錠信号の出力で、前記キーボックス内の前記カードが使われることを登録するカード選出手段と、前記カードリーダが退出時の前記カードの使用を検出すると所定の報知を行い、少なくとも退室用カードリーダに設けられている報知部と、前記報知部が報知する内容を記憶する報知内容記憶部とを備えたことを特徴とする。
【発明の効果】
【０００８】
本発明によれば、キーボックス内のカードを使って居室を退出するとき、常に報知を行うようにしたので、カードをキーボックスへ戻し忘れによる防犯性低下の阻止が期待できる。
【図面の簡単な説明】
【０００９】
【図１】本発明の一実施形態の構成を示すブロック図である。
【図２】本発明の実施形態の動作を説明するフローチャートである。
【発明を実施するための形態】
【００１０】
以下、本発明の一実施形態を、図１、図２を用いて説明する。
【００１１】
図１は本発明の実施形態の構成を示すブロック図で、図２は本発明の実施形態の動作を説明するフローチャートである。
【００１２】
図１において、図示しない建物の所定位置にキーボックス８が設置され、このキーボックス８の隣接位置に取付けられるテンキー９の釦（図示しない）の操作が、予め設定された順序に押圧されると、扉８Ａを解錠させるとともに、キーボックス８の内部にはカードである保守用カード８ａ ，８ｂが収納されている。
【００１３】
ここで、保守用カード８ａ ，８ｂには、それぞれ独自の識別コードが記憶されており、識別コードによって入退出可能な居室を選定している。
【００１４】
また、テンキー９は、図示しない建物内の専有部や共有部の入退出を管理する鍵管理装置１のテンキー信号入力部４に接続されている。
【００１５】
次に、鍵管理装置１は、図示しない建物の所定場所に設置され、鍵管理装置１の制御を行う制御部２と、この制御部２に接続されるテンキー信号入力部４と、制御部２に接続され、後述するカードリーダ１１ａ，１１ｂから送信された識別コードが、当該ドアを解錠させるか否かの判定を行うドア解錠判定部５と、制御部２に接続され、保守用力―ド８ａ, ８ｂ及びその他のカードの識別コードが、図示しない建物におけるどのドアを開扉するかの識別コード情報を少なくとも記憶するカード情報記憶部３と、制御部２及び入力部６と出力部７に接続され、入力部６を介して、カードの識別コードとカードリーダ１１ａ，１１ｂを特定するカードリーダ情報を取得するとともに、これらの情報をカード情報記憶部３の識別コード情報を参照し、出力部７を介して後述する施錠装置１０Ａへ解錠信号を出力するドア解錠判定部５と、このドア解錠判定部５がドアの開扉の是非に応じ、音声、ブザー音や文章等のメッセージを記憶する報知内容記憶部１２とで構成されている。
【００１６】
次に、図示しない居室のドア１０の近傍には、室外に入室用のカードリーダ１１ａ、室内に退室用のカードリーダ１１ｂが設けられ、ドア１０の先端には、出力部７から送信される解錠信号によって解錠動作をする施錠装置１０Ａが設けられている。
【００１７】
また、カードリーダ１１ａ，１１ｂは報知部である表示装置１１ａ１，１１ｂ１を有し、この表示装置１１ａ１，１１ｂ１は、出力部７に接続され、報知内容記憶部１２から選択された例えば文字データを表示する。ここで、表示装置１１ａ１，１１ｂ１は文字データを表示するものとしたが、解錠済、解錠受付けず等発光色を変えて表示する赤、黄、緑のＬＥＤでも良く、スピーカでも良く、これらを組み合わせでも良い。
【００１８】
次に、本実施形態の動作の説明を、図２のフローチャートを用いて説明する。
【００１９】
図２において、清掃作業等を委託された図示しない作業者は、まず清掃作業を行なう図示しない居室へ入室するため、キーボックス８から保守用カード８ａ、８ｂのいずれかを取り出すために、予め指定された暗証番号をテンキー９に入力する（ステップＳ１）。
【００２０】
また、テンキー９からの暗証番号情報は、テンキー４信号入力部４を介して制御部２へ送信され、制御部２の指令により、ドア解錠判定部５は送信された暗証番号情報とカード情報記憶部３に記憶される暗証番号情報の照合を行い（ステップＳ２）、キーボヅクス８の扉８Ａの解錠の是非を判断し、是の場合、扉８Ａを解錠する（ステップＳ３）。
【００２１】
次に、図示しない作業者は、キーボックス８から清掃作業を行なう図示しない居室へ入室用の保守用カード８ａを取り、扉８Ａを閉じ、図示しない居室へと移動する。
次に、図示しない作業者は、図示しない居室へ入室するために、保守用カード８ａをカードリーダ１１ａへ翳すと、カードリーダ１１ａは保守用カード８ａの識別コードを読取り（ステップＳ４）、この識別コードを鍵管理装置１の入力部６へ送信する（ステップＳ５）。
【００２２】
次に、入力部６を介して保守用カード８ａの識別コードを取得したドア解錠判定部５は、カード情報記憶部３に記憶される識別コード情報とカードリーダ情報を参照し、保守用カード８ａの識別コードがドア１０の施錠装置１０Ａに対し、解錠動作させて良いか否かを判断し（ステヅプＳ６）、否の場合は、報知内容記憶装置１２に記憶されるメッセージである例えば、「ガードが間違えています。ドアを開くことはできません。」なるメッセージを、表示装置１に表示し(ステップＳ７)、ステップＳ５へ戻る。
【００２３】
また、ステップＳ６で、施錠装置１０Ａの解錠動作良しと判定した場合、ドア解錠判定部５は、出力部７を介して解錠信号を施錠装置１０Ａへ送信して解錠する(ステップＳ８)。
【００２４】
次に、図示しない作業者は、図示しない居室の清掃作業が終了し、図示しない居室を退室するとき、保守用カード８ａをカードリーダ１１ｂへ翳すと、カードリーダ１１ｂは保守用カード８ａの識別コードを読取り、この識別コードを鍵管理装置１の入力部６へ送信する(ステップＳ９)。
【００２５】
次に、入力部６を介して保守用カード８ａの識別コードを取得したドア解錠判定部５は、カード情報記憶部３に記憶される識別コード情報とカードリーダ情報を参照し、保守用カード８ａの識別コードがドア１０の施錠装置１０Ａに対し、解錠動作させて良いか否’かを判断し（ステップＳ１０）、否の場合は、報知内容記憶装置１２に記憶されるメッセージである例えば、「カードが間違えています。ドアを開くことはできません。」なるメッセージを、表示装置１１ａ１に表示し（ステップＳ１１）、ステップＳ９へ戻る。
【００２６】
また、ステップＳ１０で、施錠装置１０Ａの解錠動作良しと判定した場合、ドア解錠判定部５は、識別コードが保守用カード８ａのものか否かをカード情報記憶部３に記憶される識別コード情報で確認し（ステップＳ１２）、保守用カード８ａの場合は、報知内容記憶装置１２に記憶されるメッセージである例えば、「ドアを開けます。カードを必ずキーボックスへ返却ください。」なるメッセージを、表示装置１１ｂ１に表示するとともに（ステップＳ１１ ）、出力部７を介して解錠信号を施錠装置１０Ａへ送信して解錠する（ステップＳ１４）。
【００２７】
また、ステップＳ１２で、識別コードが保守用カード８ａ以外の場合は、ステップＳ１４へ移行して施錠装置１０Ａを解錠する。
【００２８】
本実施形態によれば、キーボックス８に収納される保守用カード８ａ，８ｂを持ち出した場合、退室用のカードリーダ１１ｂに保守用カード８ａ，８ｂを翳した場合、カードリーダ１１ｂの表示装置１１ｂ１へ、保守用カード８ａ，８ｂをキーボックス８へ返却する旨の表示を行うようにしたので、保守用カード８ａ，８ｂの返却忘れを防止できる。
【００２９】
本実施形態では、表示装置１１ｂ１に文言を表示する説明を行ったが、音声を出力しても同様な効果が得られる。
【００３０】
また、本実施形態では、作業を行う図示しない居室を退室するときに、報知内容記憶装置１２に記憶されるメッセージを表示装置１１ｂ１に表示するようにしたが、全ての退出用のカードリーダに保守用カード８ａ，８ｂを翳したとき、表示装置１１ｂ１にメッセージを表示するようにしても同様なる効果が得られる。
【符号の説明】
【００３１】
１  鍵管理装置
２  制御部
３  カード情報記憶部
４  テンキー信号入力部
５  ドア解錠判定部
６  入力部
７  出力部
８  キーボックス
８Ａ  扉
８ａ，８ｂ  保守用カード
９  テンキー
１０  ドア
１０Ａ  施錠装置
１１ａ，１１ｂ  カードリーダ
１１ａ１，１１ｂ１  表示装置
【図１】
2013100639.tif 000003
【図２】
2013100639.tif 000004